(57)【要約】【課題】搬送ベルトを回転カッターに対して左右位置に切換えできるようにしてプリント基板の溝加工が任意の位置で行えるようにする。【解決手段】機台（１）に左右方向に移動される可動コラム（３）と、該可動コラム（３）に上下移動可能に支持され、かつ左右軸心を中心として回転される回転カッター（１３ａ，１３ｂ）と、前記可動コラム（３）に前記回転カッター（１３ａ，１３ｂ）に対してその左右位置に移動可能にかつ上下移動可能に支持される前後方向に長い搬送ベルト（２２ａ，２２ｂ）とを有する加工ユニット（２−１）を設け、該加工ユニット（２−１）を前記機台（１）の前部と後部とに２個設けるとともに、各加工ユニット（２−１，２−２）の搬送ベルト（２２ａ，２２ｂ）は前後に略同じ長さで互いに左右に対向させる。【選択図】        図１
2004358576.tif 000002
【特許請求の範囲】
【請求項１】
機台（１）に左右方向に移動される可動コラム（３）と、該可動コラム（３）に上下移動可能に支持され、かつ左右軸心を中心として回転される回転カッター（１３ａ，１３ｂ）と、前記可動コラム（３）に前記回転カッター（１３ａ，１３ｂ）に対してその左右位置に移動可能にかつ上下移動可能に支持される前後方向に長い搬送ベルト（２２ａ，２２ｂ）とを有する加工ユニット（２−１）を設け、該加工ユニット（２−１）を前記機台（１）の前部と後部とに２個設けるとともに、各加工ユニット（２−１，２−２）の搬送ベルト（２２ａ，２２ｂ）は前後に略同じ長さで互いに左右に対向させたことを特徴とするプリント基板の溝加工装置。
【請求項２】
前部の加工ユニット（２−１）の可動コラム（３）に、それぞれ上下移動可能に支持され、かつ左右軸心を中心として回転される上下一対の前部回転カッター（１３ａ，１３ｂ）と、前記前部コラム（３）に前記各前部回転カッター（１３ａ，１３ｂ）に対してそれぞれ該前部回転カッター（１３ａ，１３ｂ）の左右位置に移動可能にかつ上下移動可能に支持される前後方向に長い上下一対の前部搬送ベルト（２２ａ，２２ｂ）とを設け、後部の加工ユニット（２−２）の後部可動コラム（３’）に、それぞれ上下移動可能に支持され、かつ左右軸心を中心として回転される上下一対の後部回転カッター（１３ａ’，１３ｂ’）と、前記後部コラムに前記各後部回転カッター（１３ａ’，１３ｂ’）に対してそれぞれ該後部回転カッター（１３ａ’，１３ｂ’）の左右位置に移動可能にかつ上下移動可能に支持される前後方向に長い上下一対の後部搬送ベルト（２２ａ’，２２ｂ’）とを設け、前記各前部搬送ベルト（２２ａ，２２ｂ）と前記各後部搬送ベルト（２２ａ’，２２ｂ’）とは前後に略同じ長さで互いに左右に対向させたことを特徴とする請求項１記載のプリント基板の溝加工装置。
【発明の詳細な説明】
【０００１】
【発明の属する技術分野】
本発明は、プリント基板に分割用の溝を形成するプリント基板の溝加工装置に関するものである。
【０００２】
【従来の技術】
従来は、プリント基板の左右両側を上下から挟持・搬送する搬送ベルトを設け、各搬送ベルトの外側に上記プリント基板の左右端部の上下面に分割用の溝加工を行う回転カッターを左右に対向させて設け、上記各搬送ベルトの外側にプリント基板の左右位置を決める定規を設けるようにしたものがあった。
【０００３】
【発明が解決しようとする課題】
上記従来のものは、回転カッターが左右に対向していたので、これの着脱、保守点検作業が困難であった。また、回転カッターが常時搬送ベルトの外側に位置していたので、各搬送ベルト間の溝加工ができなくなるものであった。本発明は、上記不具合を解消した新規なプリント基板の溝加工装置を得ることを目的とする。
【０００４】
【課題を解決するための手段】
本発明は、上記目的を達成するために、以下の如く構成したものである。即ち請求項１に係る発明は、機台に左右方向に移動される可動コラムと、該可動コラムに上下移動可能に支持され、かつ左右軸心を中心として回転される回転カッターと、前記可動コラムに前記回転カッターに対してその左右位置に移動可能にかつ上下移動可能に支持される前後方向に長い搬送ベルトとを有する加工ユニットを設け、該加工ユニットを前記機台の前部と後部とに２個設けるとともに、各加工ユニットの搬送ベルトは前後に略同じ長さで互いに左右に対向させる構成にしたものである。
また、請求項２に係る発明は、前記前部の加工ユニットの可動コラムに、それぞれ上下移動可能に支持され、かつ左右軸心を中心として回転される上下一対の前部回転カッターと、前記前部コラムに前記各前部回転カッターに対してそれぞれ該前部回転カッターの左右位置に移動可能にかつ上下移動可能に支持される前後方向に長い上下一対の前部搬送ベルトとを設け、後部の加工ユニットの後部可動コラムに、それぞれ上下移動可能に支持され、かつ左右軸心を中心として回転される上下一対の後部回転カッターと、前記後部コラムに前記各後部回転カッターに対してそれぞれ該後部回転カッターの左右位置に移動可能にかつ上下移動可能に支持される前後方向に長い上下一対の後部搬送ベルトとを設け、前記各前部搬送ベルトと前記各後部搬送ベルトとは前後に略同じ長さで互いに左右に対向させる構成にしたものである。
【０００５】
【発明の実施の形態】
以下本発明の実施例を図面に基づいて説明する。図において、図１は本発明の実施例を示す説明用後面図、図２は図１の左側面図、図３は本発明による前部上加工ユニットの左側面図、図４は本発明による後部上加工ユニットの左側面図である。
【０００６】
図１，図２において、１は機台、２−１は機台１の前部側に取り付けた前部加工ユニット，２−２は機台１の後部側に取り付けた後部加工ユニットである。上記前部加工ユニット２−１、及び後部加工ユニット２−２は共に略同じ構造となっており、以下代表して前部加工ユニット２−１について説明する。なお、後部加工ユニット２−２の各部の符号は、前部加工ユニット２−１の各部と同符号に「’」を付す。
【０００７】
前記機台１に可動コラム３を図１において左右方向に摺動可能に起立支持する。該可動コラム３は、機台１側に設けたコラム駆動装置４によって左右方向に移動される。このコラム駆動装置４は上記可動コラム３にねじ連結される左右に延びる送りネジ５、及び該送りネジ５を正逆回転させるサーボモータ６からなる。上記可動コラム３の左側部に上下一対のアーム７ａ，７ｂを固定し、該各アーム７ａ，７ｂに上下一対のカッター装置１０ａ，１０ｂを取り付ける。なお、下部のカッター装置１０ｂの各部の符号は、上部のカッター装置１０ａの各部と同符号に「ｂ」を付す。
【０００８】
上記カッター装置１０ａ，１０ｂは、各アーム７ａ，７ｂに昇降装置（サーボモータ）１１ａ，１１ｂによってそれぞれ上下動されるカッター支持体１２ａ，１２ｂを取り付け、各カッター支持体１２ａ，１２ｂに左右軸心を中心として回転される上下一対の回転カッター１３ａ，１３ｂを取り付ける。各回転カッター１３ａ，１３ｂは円板体の外周に山形の歯を有し、プリント基板Ｗの表面にＶ溝を形成するようになっている。
【０００９】
上記各アーム７ａ，７ｂの左部側に上下一対の搬送装置１５ａ，１５ｂを取り付ける。なお、下部の搬送装置１５ｂの各部の符号は、上部の搬送装置１５ａの各部と同符号に「ｂ」を付す。該各搬送装置１５ａ，１５ｂは、Ｌ形に屈曲した左右移動体１６ａ，１６ｂを互いに対向させ、その水平辺を上記各アーム７ａ，７ｂの上面及び下面に左右摺動可能に取り付け、それぞれ左右駆動体（シリンダ）１７ａ，１７ｂによって左右方向に移動させる。また、上記各左右移動体１６ａ，１６ｂの起立辺に上下移動体１８ａ，１８ｂをそれぞれ上下摺動可能に取り付け、これらを上下駆動体（シリンダ）１９ａ，１９ｂによってそれぞれ上下方向に移動させる。
【００１０】
上記各左右移動体１６ａ，１６ｂの起立辺の及び上下移動体１８ａ，１８ｂの対向側（下部と上部）に、図２に示すように凹形の切欠き（ア）を形成し、該切欠き（ア）は前述した回転カッター１２ａ，１２ｂが左右通過可能の大きさとする。上記各上下移動体１８ａ，１８ｂの対向端部（下端部と上端部）に前後方向に延びるガイドレール２１ａ，２１ｂ、及び無端状の歯付きの搬送ベルト２２ａ，２２ｂからなる搬送主体部２０ａ，２０ｂを取り付ける。
【００１１】
上記上部側の搬送主体部２０ａと下部側の搬送主体部２０ｂとは、共に同構造のものを上下に対向させてなり、以下代表して上部側の搬送主体部２０ａを図３により説明する。上記上移動体１８ａの下端部に細長い角形のガイドレール２１ａを前後方向に延長させて固定し、該ガイドレール２１ａの前後端部に歯付きプーリー２３ａ，２３ａを、該歯付きプーリー２３ａ，２３ａの上部側に押えプーリー２４ａ，２４ａをそれぞれ回転可能に取り付ける。
【００１２】
上記ガイドレール２１ａの前後（図３において左右）方向中間部にブラケット２５ａを起立固定し、該ブラケット２５ａの前後端部に一対の倒立Ｌ形のレバー２６ａ，２６ａを背中合わせにし、その屈曲部にてピン２７ａを介して回動可能に取り付け、各レバー２６ａ，２６ａの下端部に緊張ローラー２８ａ，２８ａを回転可能に取り付ける。
【００１３】
そして、無端状の搬送ベルト２２ａを上記ガイドレール２１ａの上下面に沿って巻回するとともに、その前後（図３において左右）両端部を上記歯付きプーリー２３ａ，２３ａに巻回し、該搬送ベルト２２ａの上側の前後中間部を上記緊張ローラー２８ａ，２８ａの下側から巻回した後、その上部側の歯付き駆動プーリー２９ａに巻回する。この歯付き駆動プーリー２９ａは前述した左右移動体１６ａ側にブラケット３０ａを介して取り付けられ、モータ（図示省略）によって駆動される。
【００１４】
上記ブラケット３０ａの下部の前後（図３において左右）端部に一対のストッパー３１ａ，３１ａを下向きに取り付け、該ストッパー３１ａ，３１ａに前述したレバー２６ａ，２６ａの上側揺動端部を当接させる。これにより、搬送主体部２０ａが上下移動体１８ａによって上方に移動、従って歯付き駆動プーリー２９ａ側に移動されると、レバー２６ａ，２６ａが上記ストッパー３１ａ，３１ａにより、ピン２７ａ，２７ａを中心として緊張ローラー２８ａ，２８ａの接近する方向に回動され、該緊張ローラー２８ａ，２８ａによって搬送ベルト２２ａの緩みが防止されることになる。この場合、前部加工ユニット２−１の搬送主体部２０ａは、図３に示すように、コラム３に対して左部（前部）側を大きく左方に延出させ、一方、後部加工ユニット２−２の搬送主体部２０ａ’は、図４に示すように、コラム３’に対して右部（後部）側を大きく右方に延出させ、これにより、各搬送主体部２０ａ，２０ａ’を共に同じ前後長さで左右に平行に対向させる。
【００１５】
以上の如くして構成した前部加工ユニット２−１と後部加工ユニット２−２とを、機台１に前後に配置して取付けるとともに、図１に示すように、後部加工ユニット２−２を前部加工ユニット２−１に対して左方に偏倚（移動）させ、該後部加工ユニット２−２の搬送主体部２０ａ’，２０ｂ’を左部側の固定定規３５に接近させ、前部加工ユニット２−１の搬送主体部２０ａ，２０ｂは右部側の可動定規３６に接近させ、上下の搬送主体部２０ａ，２０ａ’、２０ｂ，２０ｂ’によりプリント基板Ｗの左右両側を上下で挟持してこれを前部側から後部側に向けて搬送する。
【００１６】
上記固定定規３５及び可動定規３６は共に搬送主体部２０ａ，２０ｂ，２０ａ’、２０ｂ’と同じ前後長さで左右に平行に対向し、プリント基板Ｗの左右移動を規制し、固定定規３５は機台１側に固定され、可動定規３６は機台１側にサーボモータ等により左右移動調節可能に支持される。
【００１７】
本発明は、上記構成にしたので、前後の加工ユニット２−１，２−２の上下回転カッター１３ａ，１３ｂ（１３ａ’，１３ｂ’）を上記搬送主体部２０ａ，２０ｂ（２０ａ’２０ｂ’）に対して上下に離間させ、この状態で搬送装置１５ａ，１５ｂ（１５ａ’，１５ｂ’）を左右方向に移動させると、左右移動体１６ａ，１６ｂ、上下移動体１８ａ，１８ｂが切欠き（ア）を介して回転カッター１３ａ，１３ｂを左右に通過し、搬送主体部２０ａ，２０ｂ（２０ａ’，２０ｂ’）が上記回転カッター１３ａ，１３ｂに対してその左部側、または右部側に位置することになる。
【００１８】
これにより、回転カッター１３ａ，１３ｂによるプリント基板Ｗの溝加工を、搬送主体部２０ａ，２０ｂ（２０ａ’，２０ｂ’）の外側、または内側のいずれからでも行うことができる。また、小幅なプリント基板Ｗを溝加工する際には、右部側の加工ユニット、本例では前部側の加工ユニット２−１の搬送主体部２０ａ，２０ｂを回転カッター１３ａ，１３ｂの右部側に移動させるとともに、両者を上下に離間させると、可動定規３６を上記搬送主体部２０ａ，２０ｂ間を通過させて左方に移動させることができ、上記小幅なプリント基板Ｗを左部（前部）側の搬送主体部２０ａ’，２０ｂ’のみで挟持及び移送しながら、前後の加工ユニット２−１，２−２の上下のカッター装置１０ａ，１０ｂ（１０ａ’，１０ｂ’）で上記プリント基板Ｗの溝加工を行うことができる。
【００１９】
なお、本発明は、下部側のカッター装置１０ｂ（１０ｂ’）は省略し、上記側のカッター装置１０ａ（１０ａ’）のみで溝加工するようにしてもよい。また、この場合、下部側の搬送装置１５ｂ（１５ｂ’）は左右及び上下動不能にしたベルトコンベア、あるいはローラーコンベアにしてもよい。
【００２０】
【発明の効果】
以上の説明から明らかな如く、本発明は、加工ユニットを前後に配置し、各加工ユニットの搬送装置を各加工ユニットの回転カッターに対して左右に移動可能に設け、各加工ユニットの搬送装置は前後に略同じ長さで互いに左右に対向させるようにしたので、搬送ベルトを回転カッターに対して左右位置に切換えできることができ、プリント基板の溝加工が任意の位置で行えるとともに、該プリント基板を安定して搬送できる効果を奏する。
【図面の簡単な説明】
【図１】本発明の実施例を示す説明用後面図である。
【図２】図１の左側面図である。
【図３】本発明による前部上加工ユニットの左側面図である。
【図４】本発明による後部上加工ユニットの左側面図である。
【符号の説明】
１    機台
２−１    前部加工ユニット
２−２    後部加工ユニット
３    可動コラム
４    コラム駆動装置
５    送りねじ
６    サーボモータ
７ａ，７ｂ  アーム
１０ａ，１０ｂ  カッター装置
１１ａ，１１ｂ  祥光装置
１２ａ，１２ｂ  カッター支持体
１３ａ，１３ｂ  回転カッター
１５ａ，１５ｂ  搬送装置
１６ａ，１６ｂ  左右移動体
１７ａ，１７ｂ  左右駆動体
１８ａ，１８ｂ  上下移動体
（ア）  切欠き
１９ａ，１９ｂ  上下駆動体
２０ａ，２０ｂ  搬送主体部
２１ａ，２１ｂ  ガイドレール
２２ａ，２２ｂ  搬送ベルト
２３ａ，２３ｂ  歯付きプーリ
２５ａ  ブラケット
２６ａ  レバー
２７ａ  ピン
２８ａ  緊張ローラー
２９ａ  歯付き駆動プーリー
３０ａ  ブラケット
３１ａ  ストッパー
３５    固定定規
３６    可動定規
【図１】
2004358576.tif 000003
【図２】
2004358576.tif 000004
【図３】
2004358576.tif 000005
【図４】
2004358576.tif 000006